(57)【要約】【課題】缶に取り付けたときに上段の缶を安定して載せることができる缶用ラベルを提供する。【解決手段】缶２に取り付けられる缶用ラベル１である。缶２の上蓋２０を覆う蓋部５を備える。蓋部５の中央部を、他の缶２の下端部を嵌込可能な凹所を構成する凹所構成部５１となっている。【選択図】図１
2015022232.tif 000002
【特許請求の範囲】
【請求項１】
缶に取り付けられる缶用ラベルであって、前記缶の上蓋を覆う蓋部を備え、該蓋部の中央部が、他の缶の下端部を嵌込可能な凹所を構成する凹所構成部になっていることを特徴とする缶用ラベル。
【請求項２】
前記凹所構成部が、前記凹所の底面を構成する底面構成部を有し、該底面構成部の周縁部の一部が前記蓋部の外周部に接続されると共に他部が切込みを介して分離され、前記底面構成部が前記外周部と面一となる位置からこれよりも下方の位置まで移動可能になっていることを特徴とする請求項１に記載の缶用ラベル。
【発明の詳細な説明】
【技術分野】
【０００１】
本発明は、缶の上に取り付けられる缶用ラベルに関する。
【背景技術】
【０００２】
特許文献１には、販売促進用の缶用ラベルが開示されている。この缶用ラベルは、缶の上蓋を覆う領域より外側に切込線を介して折曲領域が形成されており、折曲領域から内側に突出した爪部分を缶の上蓋の周縁部の外側に引っ掛けることで、缶に取り付けられる。
【先行技術文献】
【特許文献】
【０００３】
【特許文献１】特開２００５−１０７４６９号公報
【発明の概要】
【発明が解決しようとする課題】
【０００４】
ところで、商品である缶を保管したり展示したりするときには、そのスペース等を考慮して、缶の上に他の缶を載せる場合がある。ここで、特許文献１に示されるような缶用ラベルを缶に取付け、この缶の上に他の缶を載せる場合、上段の缶は缶用ラベルの上蓋を覆う蓋部の上に載せられる。しかし、この場合、上段の缶が缶用ラベルの平らな蓋部に対して移動しやすく、上段の缶が滑り落ち、缶が傷付いて売り物にならなくなる等の恐れがある。
【０００５】
本発明は前記事情に鑑みてなされたものであって、上段の缶を安定して載せることができる缶用ラベルを提供することを課題とする。
【課題を解決するための手段】
【０００６】
上記課題を解決するために本発明の缶用ラベルは、缶に取り付けられる缶用ラベルであって、前記缶の上蓋を覆う蓋部を備え、該蓋部の中央部が、他の缶の下端部を嵌込可能な凹所を構成する凹所構成部になっていることを特徴とする。
【０００７】
また、前記凹所構成部が、前記凹所の底面を構成する底面構成部を有し、該底面構成部の周縁部の一部が前記蓋部の外周部に接続されると共に他部が切込みを介して分離され、前記底面構成部が前記外周部と面一となる位置からこれよりも下方の位置まで移動可能になっていることが好ましい。
【発明の効果】
【０００８】
本発明にあっては、缶用ラベルが取り付けられた缶の上に他の缶を載せる場合、凹所構成部で構成された凹所に上段の缶の下端部を嵌め込み、当該上段の缶の水平方向の移動を規制することができる。このため、缶用ラベルが取り付けられた缶の上に他の缶を安定して載せることができる。
【図面の簡単な説明】
【０００９】
【図１】本発明の実施形態の缶用ラベルの展開図である。
【図２】同上の缶用ラベルを缶に取り付けた状態を示す斜視図であり、（ａ）は凹所構成部を蓋部の外周部と面一にしたときの状態を示し、（ｂ）は凹所構成部を凹ませた状態を示している。
【図３】（ａ）〜（ｃ）は、他例の缶用ラベルの展開図である。
【発明を実施するための形態】
【００１０】
以下、添付図面に基づいて本発明の実施形態につき説明する。本実施形態の缶用ラベル１は、図２に示されるように、缶２に載せた状態で取り付けられて用いられる。
【００１１】
図２に示される缶２は、縦に長い円筒状の飲料缶である。この缶２は、略寸胴な缶胴２１の上縁部を上蓋２０の周縁部２０２と共に巻き締めることで接続されている。図示は省略するが、上蓋２０の底部には、飲み口を閉塞するタブが設けられている。上蓋２０の周縁部２０２は底部よりも上方に突出している。
【００１２】
次に缶用ラベル１について説明する。なお、以下では、特に記載する場合を除き、図１に示される展開状態における缶用ラベル１について説明する。
【００１３】
缶用ラベル１は、缶２の上蓋２０よりも大きな一枚の板紙に、商品名、商品説明、懸賞案内等の商品情報を付すと共に、切込み３や折溝４を設けたものである。
【００１４】
缶用ラベル１は、缶２の上蓋２０の上側を覆う蓋部５と、蓋部５の外周縁に接続された複数の係止部６とを備えている。本実施形態では、蓋部５が平面視略正方形状に形成され、蓋部５の各辺に係止部６が接続されている。各係止部６は蓋部５から外側に向かって突出している。
【００１５】
各係止部６は、蓋部５の対応する辺に亘って形成されている。蓋部５とこの外側に位置する各係止部６の間には、係止用切込み３０が形成されている。各係止用切込み３０は、蓋部５と係止部６の境界部分における両端部を除く部分（略正方形状の蓋部５の辺の両端部を除く部分）に亘って形成されている。各係止部６は長さ方向の両端部のみが蓋部５に接続されている。
【００１６】
各係止用切込み３０は、半径が缶２の上蓋２０の半径と略同じ寸法となる略円弧状に形成されており、その円弧の中心は蓋部５の中心と一致している。各係止用切込み３０の長さ方向の中央部は、蓋部５側に向かって凸となる円弧状に曲げられている。これに対応して、各係止部６の係止用切込み３０側に臨む縁部の中央部には、蓋部５側に突出した係止突部６０が形成されている。
【００１７】
各係止部６の長さ方向の両端部と蓋部５の境界部分には、各係止部６を蓋部５に対して山折りするための第一折溝４１が形成されている。各係止部６の両側の第一折溝４１は、平面視で当該係止部６の長さ方向と平行な直線状であり、同一直線上に位置している。各第一折溝４１は、一端が係止用切込み３０の一端に至り、他端が略正方形状の蓋部５の頂点に至っている。
【００１８】
図２に示されるように缶用ラベル１を缶２に取り付けるには、蓋部５の外周部５０を上蓋２０の周縁部２０２上に載せる。そして、各係止部６を両側の第一折溝４１を境にして蓋部５から下方に突出する方向に折り曲げて、各係止部６の係止突部６０を上蓋２０の周縁部２０２の下側に係止する。これにより、缶２の上蓋２０の周縁部２０２が蓋部５の外周部５０と各係止部６の係止突部６０とで上下に挟まれて、缶用ラベル１が缶２に固定される。
【００１９】
また、図１に示されるように、任意の係止部６には、当該係止部６を蓋部５と反対側に延出した延出部７が設けられている。延出部７は、係止部６の長さ方向に亘って形成されている。延出部７と係止部６の境界部分には、係止部６の長さ方向と平行で延出部７を係止部６に対して垂直に谷折りするための第二折溝４２が形成されている。
【００２０】
図示は省略するが、延出部７には印刷によって商品情報が付される。このような延出部７を設けることで、缶用ラベル１において商品情報を表示する面積を大きくできる。また、この延出部７は第二折溝４２に対して折り曲げて蓋部５と略平行にすることで、商品情報を上側から見えやすい位置に配置することができる。
【００２１】
また、図示は省略するが、蓋部５の上面にも印刷によって商品情報が付される。すなわち、延出部７及び蓋部５は、商品情報を表示する部分となっている。なお、缶用ラベル１の商品情報は、延出部７及び蓋部５にのみ付されてもよいし、延出部７及び蓋部５に加えてその他の箇所（係止部６）にも付されてもよい。また、商品情報は、シール等、印刷以外の手段により付されてもよい。
【００２２】
図１に示されるように、缶用ラベル１の蓋部５は、環状の外周部５０と、外周部５０で囲まれた凹所構成部５１とで構成されている。図１に示される展開状態において、凹所構成部５１は外周部５０と面一になっている。
【００２３】
外周部５０は、平面視略円環状の環状部分５００と、環状部分５００の周方向の４か所から外方に突出して略正方形状の蓋部５の角部を構成する突出部分５０１とで構成されている。
【００２４】
凹所構成部５１は、外周部５０（環状部分５００）で囲まれた領域の全体に亘っており、蓋部５の中央部を構成する。凹所構成部５１は、外周部分を構成する環状の周面構成部５１０と、周面構成部５１０で囲まれた底面構成部５１１とで構成されている。
【００２５】
周面構成部５１０は、平面視円環状であり、外周部５０の内縁に沿っている。周面構成部５１０と環状部分５００の境界部分、周面構成部５１０の径方向における中間部分、並びに周面構成部５１０と底面構成部５１１の境界部分の夫々には、凹所形成用切込み３１が形成されている。
【００２６】
利用者は、図２（ｂ）に示されるように、底面構成部５１１を下方に押し込むことで、蓋部５の中央部に下方に凹んだ凹所５２を形成できるようになっている。この凹所５２は、底面が底面構成部５１１で構成され、周面が周面構成部５１０で構成される。
【００２７】
具体的に周面構成部５１０は、径方向に複数並べて形成された環状部８で構成されている。各環状部８は、蓋部５の中心を中心とした平面視円環状でその直径は互いに異なっている。本実施形態の周面構成部５１０は、図１に示されるように、外側の第一環状部８１と、内側の第二環状部８２で構成されている。なお、周面構成部５１０は、１又は３以上の環状部８で構成しても構わない。
【００２８】
各凹所形成用切込み３１は、蓋部５の中心を中心とした円弧状に形成されている。各凹所形成用切込み３１は、環状部分５００とその内側の第一環状部８の境界部分、隣り合う第一環状部８と第二環状部８の境界部分、及び、底面構成部５１１とその外側の第二環状部８の境界部分の夫々において、周方向に複数形成されている。つまり、蓋部５には、同一円上に位置する複数の凹所形成用切込み３１が複数段形成されている。
【００２９】
各段の凹所形成用切込み３１は、周面構成部５１０の周方向において各突出部分５０１に対応する箇所以外に形成されており、周面構成部５１０には複数の凹所形成用切込み３１が周方向の略全長に亘って設けられている。なお、図１に示される缶用ラベル１は、各段において周方向に並べて形成された凹所形成用切込み３１の間の部分が周面構成部５１０の周方向において同じ箇所にあるが、図３（ａ）に示されるように異なる箇所にあってもよい。
【００３０】
図１に示される底面構成部５１１は平面視円形である。底面構成部５１１の直径は、缶用ラベル１が取り付けられる缶２に他の缶２を載せるときの上段の缶２の底面の直径と略同じである。なお、上段の缶２は、下段の缶２と同大同形の缶２であってもよいし、大きさや形状が異なる缶２であってもよい。このうち、同大同形の缶２としては、例えば、缶胴２１と底蓋とが一体に形成され、下端部の外周径が上蓋２０の外径よりも小さくなった２ピース缶が挙げられる。
【００３１】
缶用ラベル１の蓋部５は、図２（ａ）に示されるように凹所構成部５１を外周部５０と面一にした第一形状から、図２（ｂ）に示されるように蓋部５の中央部に凹所５２を形成した第二形状に変形させることができる。缶用ラベル１が取り付けられた缶２に他の缶２を載せない場合には、蓋部５は通常第一形状とされる。また、缶用ラベル１が取り付けられた缶２に他の缶２を載せる場合には、蓋部５は第二形状とされ、その中央部に形成された凹所５２に上段の缶２の下端部が嵌め込まれる。
【００３２】
蓋部５は、第一形状の底面構成部５１１を外周部５０に対して下方に押し込むことで、第二形状にすることができる。すなわち、底面構成部５１１が下方に押し込まれると、各環状部８はその外側の外周部５０又は環状部８に対して下側に曲がる。また、各環状部８においてその外側の凹所形成用切込み３１に対応する部分が、その外側の外周部５０又は環状部８から下側に離間する。このため、周面構成部５１０は下側に伸び、底面構成部５１１が外周部５０よりも下方の位置に移動し、これにより蓋部５に下方に凹んだ凹所５２が形成される。
【００３３】
底面構成部５１１の下方への押し込みは、例えば上段の缶２の底面を底面構成部５１１に合わせて載せ、この上段の缶２を下方に押し込むことで行うことができる。すなわち、この場合は、上段の缶２で底面構成部５１１が押し込まれて凹所５２が形成されると同時に、この凹所５２に上段の缶２の下端部が嵌め込まれることとなる。勿論、底面構成部５１１を手等で押し込んで凹所５２を形成し、この凹所５２に上段の缶２を嵌め込んでも構わない。
【００３４】
また、凹所５２の底面を構成する底面構成部５１１は、下段の缶２の上蓋２０の底部に当接する位置まで押し込めるようにすることが好ましい。上段の缶２を凹所５２に嵌め込んだとき、上段の缶２を底面構成部５１１を介して下段の缶２で支持できるからである。
【００３５】
以上説明した本実施形態の缶用ラベル１は、缶２の上蓋２０を覆う蓋部５と、蓋部５の外側に係止用切込み３０を介して位置して係止用切込み３０に臨む縁部が上蓋２０の周縁部２０２に係止される係止部６とを備え、係止部６の係止用切込み３０に臨む縁部を缶２の上蓋２０の周縁部２０２に係止して缶２に取り付けることができる缶用ラベル１である。そして、蓋部５の中央部を、他の缶２の下端部を嵌込可能な凹所５２を構成する凹所構成部５１としている。この缶用ラベル１にあっては、取り付けられた缶２の上に他の缶２を載せる場合に、図２（ｂ）に示されるように、凹所構成部５１で構成された凹所５２に上段の缶２の下端部を嵌め込むことで、上段の缶２の水平方向の移動を規制することができる。このため、缶用ラベル１が取り付けられた缶２の上に他の缶２を安定して載せることができる。
【００３６】
また、本実施形態では、凹所構成部５１が凹所５２の底面を構成する底面構成部５１１を有し、底面構成部５１１の周縁部の一部が蓋部５の外周部５０に周面構成部５１０を介して接続されると共に他部が凹所形成用切込み３１を介して分離され、底面構成部５１１が外周部５０と面一となる位置からこれよりも下方の位置まで移動可能になっている。このようにすると、底面構成部５１１を外周部５０と面一にした状態にして、底面構成部５１１に付された表示を横から見えやすい位置に配置することができる。また、必要に応じて、底面構成部５１１を下方に押し込んで、凹所５２を形成することができる。
【００３７】
図３（ｂ）及び図３（ｃ）には、変形例の缶用ラベル１の展開図が示されている。図３（ｂ）に示される缶用ラベル１の周面構成部５１０には、弧状の凹所形成用切込み３１が周方向にずらして複数形成されている。各凹所形成用切込み３１は、同心で周回方向を同じくした異なる仮想渦巻き線上に位置しており、底面構成部５１１の外周に沿うその長さ方向の一端から他端に行く程蓋部５の中心からの距離が次第に大きくなっている。この缶用ラベル１にあっても、底面構成部５１１を下方に押し込むことで、周面構成部５１０を下方に伸ばして凹所５２を形成することができる。
【００３８】
また、図３（ｃ）に示される缶用ラベル１の凹所構成部５１は、外周部５０で囲まれた円形の底面構成部５１１で構成されており、周面構成部５１０を有していない。底面構成部５１１は、その周縁部において一の突出部分５０１に対応する箇所のみが外周部５０に接続されており、その他の部分は、円弧状の凹所形成用切込み３１によって外周部５０と分離されている。この缶用ラベル１にあっては、凹所構成部５１（底面構成部５１１）を外周部５０に対して下方に押し込むことで、凹所構成部５１を外周部５０よりも下方に移動させ、これにより底面を凹所構成部５１で構成した凹所５２を形成することができる。
【００３９】
なお、本発明の缶用ラベル１は、飲料缶以外の従来から知られている缶２に用いることも可能である。また、本発明は前述した実施形態に限られるものではなく、本発明の趣旨を逸脱しない範囲内で適宜設計変更可能である。
【符号の説明】
【００４０】
１  缶用ラベル
２  缶
３  係止用切込み
５  蓋部
６  係止部
２０  上蓋
３０  係止用切込み
５１  凹所構成部
５２  凹所
５１１  底面構成部
【図１】
2015022232.tif 000003
【図２】
2015022232.tif 000004
【図３】
2015022232.tif 000005